【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
第１のネットワーク機器と第２のネットワーク機器の間のデータリンク通信を中継する中継器であって，
前記第１のネットワーク機器と前記第２のネットワーク機器間における，データリンク通信よりも上位の通信（上位通信）を管理する通信管理手段と，
自身と前記第１のネットワーク機器または自身と前記第２のネットワーク機器との間のデータリンク通信が切断したことを検出するデータリンク通信切断検出手段と，
前記データリンク通信切断検出手段がデータリンク通信の切断を検出した場合，切断していないデータリンク通信に対応するネットワーク機器を宛先とし，切断しているデータリンク通信に対応するネットワーク機器のアドレスを送信元アドレスとした前記上位通信であって，前記切断しているデータリンク通信に対応するネットワーク機器との前記上位通信を維持させる指示を送信する代理応答手段と，
前記データリンク通信切断検出手段が検出したデータリンク通信の切断が復帰したことを検出するデータリンク通信復帰検出手段と，
前記データリンク通信復帰検出手段がデータリンク通信の復帰を検出した場合，前記代理応答手段による代理応答を停止させる代理応答停止指示手段と，
を備える中継器。
【請求項２】
無線子機が接続されている無線アクセスポイントであって，
前記無線子機のＴＣＰセッションを管理するＴＣＰセッション管理手段と，
前記無線子機との接続が切断されたことを検出する切断検出手段と，
前記ＴＣＰセッション管理手段が管理しているＴＣＰセッションにおける前記無線子機のアドレスを送信元アドレスとして，当該ＴＣＰセッション上において，前記無線子機の送信先である端末に向けて当該ＴＣＰセッションを維持させる内容を送信するＴＣＰセッション維持代理応答手段と，
前記切断検出手段が切断を検出した場合，前記ＴＣＰセッション維持代理応答手段による代理応答を指示する代理応答開始指示手段と，
切断された前記無線子機との接続が復帰したことを検出する接続復帰検出手段と，
前記接続復帰検出手段が接続の復帰を検出した場合，前記代理応答開始指示手段によって開始された代理応答の停止を指示する代理応答停止指示手段と，
を備える無線アクセスポイント。
【請求項３】
前記切断検出手段および前記接続復帰検出手段が検出する切断および復帰の対象となる接続は，少なくともデータリンク層による接続を含む，ことを特徴とする請求項２に記載の無線アクセスポイント。
【請求項４】
前記ＴＣＰセッションを維持させる内容は，ＴＣＰ通信におけるキープアライブおよびウィンドウサイズ０（ゼロ）のうちいずれか１つを含む，ことを特徴とする請求項２または３に記載の無線アクセスポイント。
【請求項５】
第１のネットワーク機器と第２のネットワーク機器の間のデータリンク通信を中継する中継器の利用方法であって，
前記第１のネットワーク機器と前記第２のネットワーク機器間における，データリンク通信よりも上位の通信（上位通信）を管理するステップと，
中継器と前記第１のネットワーク機器または自身と前記第２のネットワーク機器との間のデータリンク通信が切断したことを検出するステップと，
中継器と前記第１のネットワーク機器または中継器と前記第２のネットワーク機器との間のデータリンク通信が切断したことを検出した場合，切断していないデータリンク通信に対応するネットワーク機器を宛先とし，切断しているデータリンク通信に対応するネットワーク機器のアドレスを送信元アドレスとした前記上位通信であって，前記切断しているデータリンク通信に対応するネットワーク機器との前記上位通信を維持させる指示を送信するステップと，
前記データリンク通信の切断が復帰したことを検出するステップと，
前記データリンク通信の復帰を検出した場合，前記上位通信を維持させる指示の送信を停止させるステップと，
を含む方法。
【請求項６】
無線子機が接続されている無線アクセスポイントの利用方法であって，
前記無線子機のＴＣＰセッションを管理するステップと，
前記無線子機との接続が切断されたことを検出するステップと，
前記無線子機との接続が切断されたことを検出した場合，前記ＴＣＰセッション管理手段が管理しているＴＣＰセッションにおける前記無線子機のアドレスを送信元アドレスとして，当該ＴＣＰセッション上において，前記無線子機の送信先である端末に向けて当該ＴＣＰセッションを維持させる内容を送信するステップと，
切断された前記無線子機との接続が復帰したことを検出するステップと，
切断された前記無線子機との接続が復帰したことを検出した場合，前記無線子機の送信先である前記端末に向けた当該ＴＣＰセッションを維持させる内容の送信を停止するステップと，
を含む方法。
【請求項７】
接続または切断の検出の対象である前記無線子機との接続は，少なくともデータリンク層による接続を含む，ことを特徴とする請求項６に記載の方法。
【請求項８】
前記ＴＣＰセッションを維持させる内容は，ＴＣＰ通信におけるキープアライブおよびウィンドウサイズ０（ゼロ）のうちいずれか１つを含む，ことを特徴とする請求項６または７に記載の方法。
【請求項９】
アクセスポイント介して無線子機と有線ネットワーク機器とが通信を行う無線ネットワークシステムであって，
前記アクセスポイントは，
前記無線子機のＴＣＰセッションを管理するＴＣＰセッション管理手段と，
前記無線子機との接続が切断されたことを検出する切断検出手段と，
前記ＴＣＰセッション管理手段が管理しているＴＣＰセッションにおける前記無線子機のアドレスを送信元アドレスとして，当該ＴＣＰセッション上において，前記無線子機の送信先である端末に向けて当該ＴＣＰセッションを維持させる内容を送信するＴＣＰセッション維持代理応答手段と，
前記切断検出手段が切断を検出した場合，前記ＴＣＰセッション維持代理応答手段による代理応答を指示する代理応答開始指示手段と，
切断された前記無線子機との接続が復帰したことを検出する接続復帰検出手段と，
前記接続復帰検出手段が接続の復帰を検出した場合，前記代理応答開始指示手段によって開始された代理応答の停止を指示する代理応答停止指示手段と，を備え，
前記無線子機は，
前記アクセスポイントとの接続が切断された場合に，ＴＣＰセッションの切断を行わない切断回避手段，を備える無線ネットワークシステム。
【手続補正２】
【補正対象書類名】明細書
【補正対象項目名】００１０
【補正方法】変更
【補正の内容】
【００１０】
本願発明にかかる第２の形態は，無線子機が接続されている無線アクセスポイントであって，無線子機のＴＣＰセッションを管理するＴＣＰセッション管理手段と，無線子機との接続が切断されたことを検出する切断検出手段と，ＴＣＰセッション管理手段が管理しているＴＣＰセッションにおける無線子機のアドレスを送信元アドレスとして，当該ＴＣＰセッション上において，無線子機の送信先である端末に向けて当該ＴＣＰセッションを維持させる内容を送信するＴＣＰセッション維持代理応答手段と，切断検出手段が切断を検出した場合，ＴＣＰセッション維持代理応答手段による代理応答を指示する代理応答開始指示手段と，切断された無線子機との接続が復帰したことを検出する接続復帰検出手段と，接続復帰検出手段が接続の復帰を検出した場合，代理応答開始指示手段によって開始された代理応答の停止を指示する代理応答停止指示手段と，を備える。
【手続補正３】
【補正対象書類名】明細書
【補正対象項目名】００１３
【補正方法】変更
【補正の内容】
【００１３】
本願発明にかかる第３の形態は，第１のネットワーク機器と第２のネットワーク機器の間のデータリンク通信を中継する中継器の利用方法であって，第１のネットワーク機器と第２のネットワーク機器間における，データリンク通信よりも上位の通信（上位通信）を管理するステップと，中継器と第１のネットワーク機器または自身と第２のネットワーク機器との間のデータリンク通信が切断したことを検出するステップと，中継器と第１のネットワーク機器または中継器と第２のネットワーク機器との間のデータリンク通信が切断したことを検出した場合，切断していないデータリンク通信に対応するネットワーク機器を宛先とし，切断しているデータリンク通信に対応するネットワーク機器のアドレスを送信元アドレスとした上位通信であって，切断しているデータリンク通信に対応するネットワーク機器との上位通信を維持させる指示を送信するステップと，データリンク通信の切断が復帰したことを検出するステップと，データリンク通信の復帰を検出した場合，上位通信を維持させる指示の送信を停止させるステップと，を含む方法である。
【手続補正４】
【補正対象書類名】明細書
【補正対象項目名】００１４
【補正方法】変更
【補正の内容】
【００１４】
本願発明にかかる第４の形態は，無線子機が接続されている無線アクセスポイントの利用方法であって，無線子機のＴＣＰセッションを管理するステップと，無線子機との接続が切断されたことを検出するステップと，無線子機との接続が切断されたことを検出した場合，ＴＣＰセッション管理手段が管理しているＴＣＰセッションにおける無線子機のアドレスを送信元アドレスとして，当該ＴＣＰセッション上において，無線子機の送信先である端末に向けて当該ＴＣＰセッションを維持させる内容を送信するステップと，切断された無線子機との接続が復帰したことを検出するステップと，切断された無線子機との接続が復帰したことを検出した場合，無線子機の送信先端末である端末に向けた当該ＴＣＰセッションを維持させる内容の送信の停止するステップと，を含む方法である。
【手続補正５】
【補正対象書類名】明細書
【補正対象項目名】００１５
【補正方法】変更
【補正の内容】
【００１５】
好ましくは，接続または切断の検出の対象である無線子機との接続は，少なくともデータリンク層による接続を含む。
【手続補正６】
【補正対象書類名】明細書
【補正対象項目名】００１７
【補正方法】変更
【補正の内容】
【００１７】
本願発明にかかる第５の形態は，アクセスポイント介して無線子機と有線ネットワーク機器とが通信を行う無線ネットワークシステムであって，アクセスポイントは，無線子機のＴＣＰセッションを管理するＴＣＰセッション管理手段と，無線子機との接続が切断されたことを検出する切断検出手段と，ＴＣＰセッション管理手段が管理しているＴＣＰセッションにおける無線子機のアドレスを送信元アドレスとして，当該ＴＣＰセッション上において，無線子機の送信先である端末に向けて当該ＴＣＰセッションを維持させる内容を送信するＴＣＰセッション維持代理応答手段と，切断検出手段が切断を検出した場合，ＴＣＰセッション維持代理応答手段による代理応答を指示する代理応答開始指示手段と，切断された無線子機との接続が復帰したことを検出する接続復帰検出手段と，接続復帰検出手段が接続の復帰を検出した場合，代理応答開始指示手段によって開始された代理応答の停止を指示する代理応答停止指示手段と，を備え，無線子機は，アクセスポイントとの接続が切断された場合に，ＴＣＰセッションの切断を行わない切断回避手段，を備える無線ネットワークシステム。